(57)【要約】      （修正有）【課題】内部を外方から目視確認でき、上面の蓋板の動きを、方向性を定めてガイド特定でき、脚の高さ調整を可能とし、防水機構が付き、しかも宅配業者が受領印をもらうため、印鑑も常備してあり、構造が簡易で価格も低廉な宅配ボックスを提供する。【解決手段】上面を開口し、直方体あるいは立方体をしたボックス本体１を有し、上面には蓋板１１が一縁をヒンジ１３で枢支されて備えられ、かつ、その蓋板の側縁内部に取り付けられたアングル部材１４にスリット１６を形成したガイド板１５の一端が止着され、スリットには一方の側板上縁内部に設けられた係合ピン１７が係合されており、下面四隅には高さ調整を可能とした脚部が設けられている。【選択図】図１
0003229945.tif 000002
【実用新案登録請求の範囲】
【請求項１】
上面を開口し、直方体あるいは立方体をしたボックス本体を有し、前記上面には蓋板が一縁をヒンジで枢支されて備えられ、かつ、その蓋板の側縁内部に取り付けられたアングル部材にスリットを形成したガイド板の一端が止着され、前記スリットには一方の側板上縁内部に設けられた係合ピンが係合されており、下面四隅には高さ調整を可能とした脚部が設けられていることを特徴とする宅配ボックス。
【請求項２】
少なくとも前記ボックス本体を形成する前板の一部及び両側板、背板は半透明のプラスチックで成形されていることを特徴とする請求項１に記載の宅配ボックス。
【請求項３】
前記ボックス本体の開口縁には防水用のゴムパッキンが備えられていることを特徴とする請求項１または２に記載の宅配ボックス。
【請求項４】
前記ボックス本体を形成する前板の内面上部の隅には印鑑収納部が設けられていることを特徴とする請求項１から３のうち１項に記載の宅配ボックス。
【請求項５】
前記印鑑収納部は近接する側板方向に向けて下る傾斜が形成されていることを特徴とする請求項４に記載の宅配ボックス。
【請求項６】
前記蓋体と前板には、蓋体の開閉を規制する鍵機構が形成されていることを特徴とする請求項１に記載の宅配ボックス。
【請求項７】
前記した下面四隅に設けられた脚部のうち、少なくとも対角線上にある二つの脚部には床面への固定構造が設けられていることを特徴とする請求項１に記載の宅配ボックス。
【考案の詳細な説明】
【技術分野】
【０００１】
本考案は宅配ボックス、特に宅配業者によって届けられた物を、その宅配業者が収容しておくための宅配ボックスに関する。
【背景技術】
【０００２】
近時、各種メディアによるショッピングによって在宅のまま商品を購入する機会が増え、当該商品は宅配業者（郵便局を含む）によって各購入者あるいは贈答品の送り先へ届けられる。しかしながら、当該者が不在の場合が多く、宅配業者はその旨を伝える伝票を郵便ポスト等に投函し、連絡を待って再度、届けに赴くという多大な手間がかかることとなっている。
【０００３】
上記した現状から、宅配業者が、届出先が不在でも商品等を収納しておくことができる宅配ボックスが種々の形態で開陳されている。しかしながら、これら既知の宅配ボックスは複雑な通信機能や電子錠の存在を必要として、宅配業者側も使いづらい難点があり、また、各種の機能の附設によって宅配ボックスとしての価格も高騰してしまうものとなっていた。
【先行技術文献】
【特許文献】
【０００４】
出願人は本願考案について、先行する技術文献を調査したが、格別に本願考案と関連し、類似していると思われる文献は発見できなかった。
【考案の概要】
【考案が解決しようとする課題】
【０００５】
本考案が解決しようとする問題点は、従来、内部を外方から目視確認でき、上面の蓋板の動きを、方向性を定めてガイド特定でき、脚の高さ調整を可能とし、防水機構が付き、しかも宅配業者が受領印をもらうため、印鑑も常備してあり、構造が簡易で価格も低廉なもので済むという宅配ボックスは存在しなかったという点である。
【課題を解決するための手段】
【０００６】
上記問題点を解決するために、本考案に係る宅配ボックスは、上面を開口し、直方体あるいは立方体をしたボックス本体を有し、前記上面には蓋板が一縁をヒンジで枢支されて備えられ、かつ、その蓋板の側縁内部に取り付けられたアングル部材にスリットを形成したガイド板の一端が止着され、前記スリットには一方の側板上縁内部に設けられた係合ピンが係合されており、下面四隅には高さ調整を可能とした脚部が設けられていることを特徴としている。
【０００７】
また、本考案に係る宅配ボックスは、少なくとも前記ボックス本体を形成する前板の一部及び両側板、背板は半透明のプラスチックで成形されていることを特徴としている。
【０００８】
さらに、本考案に係る宅配ボックスは、前記ボックス本体の開口縁には防水用のゴムパッキンが備えられていることを特徴としている。
【０００９】
そして、本考案に係る宅配ボックスは、前記ボックス本体を形成する前板の内面上部の隅には印鑑収納部が設けられていることを特徴としている。
【００１０】
また、本考案に係る宅配ボックスは、前記印鑑収納部は近接する側板方向に向けて下る傾斜が形成されていることを特徴としている。
【００１１】
さらに、本考案に係る宅配ボックスは、前記蓋体と前板には、蓋体の開閉を規制する鍵機構が形成されていることを特徴としている。
【００１２】
そして、本考案に係る宅配ボックスは、前記した下面四隅に設けられた脚部のうち、少なくとも対角線上にある二つの脚部には床面への固定構造が設けられていることを特徴としている。
【考案の効果】
【００１３】
本考案に係る宅配ボックスは上記のように構成されている。そのため、蓋板の開閉もスムーズで精度がよく、ボックス本体内の様子が外から目視で確認でき、高さ調整やボックス本体位置の固定も容易に実行でき、加えて、宅配業者が必要とする印鑑も備えられているので、作業が極めて容易に進行でき、複雑で特殊な電子設備が格別には不要となって、安価な製品として需要者に供給することができる。
【図面の簡単な説明】
【００１４】
【図１】本考案を実施した宅配ボックスの分解斜視図である。
【図２】同じく前板部分の裏面から見た図である。
【図３】同じく左側板部分を内側から見た図である。
【図４】同じく底板部分を示す図である。
【図５】同じくガイド板部分の拡大図を全体と対比して示す図である。
【図６】同じく印鑑収納部と脚の固定構造の拡大図を全体と対比して示す図である。
【考案を実施するための形態】
【００１５】
図面として示し、実施例で説明したように構成したことで実現した。
【実施例１】
【００１６】
次に、本考案の好ましい実施の一例を、図面を参照して説明する。図中１は宅配ボックスを構成するボックス本体を示しており、本実施例におけるボックス本体１は横長の直方体となっている。このボックス本体１は前板２、背板３、左側板４、右側板５を有しており、これら前板２、背板３、左側板4、右側板５は各々その両側縁をボックス本体１の四つのコーナーとなる枠構成柱６ａ、６ｂ、６ｃ、６ｄの内側に形成される受溝に嵌め合わせされて形成されていく。
【００１７】
また、前記前板２、背板３、左側板４、右側板５の各々の上縁は上縁枠構成部材７ａ、７ｂ、７ｃ、７ｄが嵌め付けられ、下縁には下縁枠構成部材８ａ、８ｂ、８ｃ、８ｄが嵌め付けられ、各々の板が固定されている。
【００１８】
枠構成柱６ａ、６ｂ、６ｃ、６ｄの外方から、ねじ９、９‥によって各上縁枠構成部材７ａ、７ｂ、７ｃ、７ｄ及び下縁枠構成部材８ａ、８ｂ、８ｃ、８ｄに対して止着して四方の板の固定が組み立て構成される。
【００１９】
前記前板２、背板３、左側板４、右側板５は半透明をしたプラスチックで成形されているもので、ボックス本体１の内部が外部から目視で確認できるものとなっている。尚、前板２については、その３分の１から４分の１の上部分は特に半透明ではない板材２ａがジョイント部材２ｂによって連結されて設けられ、上縁枠構成部材７ａは前記板材２ａの上縁に取り付けられている。
【００２０】
さらに、図中１０はボックス本体１の底板を示し、この底板１０の前後縁には下縁枠構成部材８ａ、８ｂを受ける受けフレーム１０ａ、１０ｂがねじ９、９‥によって取り付けられており、左右縁には左右側板４、５の下縁枠構成部材８ｃ、８ｄの上に被せ掛けされる掛けフレーム１０ｃ、１０ｄが一体に形成されている。
【００２１】
一方、図中１１は、ボックス本体１の上面開口を開閉する蓋板であり、この蓋板１１は上面開口、即ち、各上縁枠構成部材７ａ、７ｂ、７ｃ、７ｄと当接する矩形の枠体１１ａを有しているもので、この枠体１１ａは蓋板１１の上面で一体に連結され、フラットな板状外観を呈している。尚、前記した各上縁枠構成部材７ａ、７ｂ、７ｃ、７ｄの天面にはゴム製パッキン１２、１２‥が防水用として具備されており、枠体１１ａはこのゴム製パッキン１２、１２‥と閉塞時に密接する。
【００２２】
蓋板１１は枠体１１ａの後部底面と背板３の上縁枠構成部材７ｂの上面とがヒンジ１３、１３を介して連接されており、このヒンジ１３、１３によって蓋板１１は枢動し、ボックス本体１の上面開口を行なえるようになっている。
【００２３】
また、蓋板１１の枠体１１ａの左側には断面Ｌ字状のアングル材１４が取り付けられ、このアングル材１４にはガイド板１５の一端が枢着されている。このガイド板１５には長手方向に沿ってスリット１６が形成されており、このスリット１６は左側板４の上縁枠構成部材７ｃの内面に取り付けられた係合ピン１７と係合されており、スリット１６が係合ピン１７と係合して蓋板１１の開閉枢動の際にスライドする。このガイド板１５は蓋板１１の枢動方向を規制してガイドし、蓋体１１の急激な閉止を緩衝し、蓋板１１の枢動機構を補強することとなる。
【００２４】
蓋板１１の枠体１１ａの前面中央には軸によって枢支されたフラップ１８が取り付けられており、このフラップ１８には縦長で異形の透孔１８ａが形成されている。一方、前板２の上縁枠構成部材７ａの前面中央には前記フラップ１８と対応して回転子１９が回転可能に設けられている。この回転子１９はフラップ１８の透孔１８ａと適合する形状とされて、蓋板１１を閉じた時に、フラップ１８を枢動させることで透孔１８ａを回転子１９が通過し、その後に回転子１９を９０度回転させることで、回転子１９の縁がフラップ１８の透孔１８ａの縁を抑止し、蓋板１１の開閉動作を抑止する。
【００２５】
また、前板２の上方にある板材２ａの内面には左側板４に寄せて、印鑑収納部２０が取り付けられている。この印鑑収納部２０は断面上向きコ字状の部材となっており、左側板４方向に向けて下る傾斜が設けられ、収納した印鑑５の一端が左側板４と当接して停止するように構成されている。
【００２６】
前記枠構成柱６ａ、６ｂ、６ｃ、６ｄの下端には脚部が備えられている。この脚部はゴム等で形成された緩衝体２１、２１‥を介して、その下方から支持座２２がその上面に設けられたねじ２２ａによって螺着された構成となっており、ねじ２２ａの回転数によって、その高さ調整が可能となっている。
【００２７】
そして、実施例にあっては対角線上にある枠構成柱６ａと６ｃにおける支持座２２、２２にはクランク材２３が介在されている。このクランク材２３の高位置板部に形成された透孔２３ａには前記支持座２２のねじ２２ａが挿通されて枠構成柱６ａ、６ｃの下端と支持座２２の上面間に挟持される。また、低位置板部は床面に当接され形成されている透孔２３ｂに釘などの固着要素Ｎが挿通され、床面に位置固定される。これによってボックス本体１自体の位置移動が抑制される。
【００２８】
さらに、図中２４、２４‥は各枠構成柱６ａ、６ｂ、６ｃ、６ｄの頂面に設けられた、蓋板１１の枠体１１ａの当接プレートであり、急激な閉止を抑制された蓋板１１を受け止めることとなり、蓋板１１、強いては枠体１１ａとの密接性を図っている。
【産業上の利用可能性】
【００２９】
本実施例に係る宅配ボックスは上記のように構成されている。実施例ではボックス本体を直方体のものとしているが、これにこだわらず立方体のものとすることもでき、サイズも変更することができる。このボックス本体の容量によってはゴルフバッグやスキー板の納入も可能なものとなる。
【符号の説明】
【００３０】
１    ボックス本体
２    前板
２ａ  板材
２ｂ  ジョイント部材
３    背板
４    左側板
５    右側板
６ａ、６ｂ、６ｃ、６ｄ  枠構成柱
７ａ、７ｂ、７ｃ、７ｄ  上縁枠構成部材
８ａ、８ｂ、８ｃ、８ｄ  下縁枠構成部材
９    ねじ
１０  底板
１０ａ、１０ｂ  受けフレーム
１０ｃ、１０ｄ  掛けフレーム
１１  蓋板
１１ａ  枠体
１２  ゴム製パッキン
１３  ヒンジ
１４  アングル材
１５  ガイド板
１６  スリット
１７  係合ピン
１８  フラップ
１８ａ  透孔
１９  回転子
２０  印鑑収納部
２１  緩衝材
２２  支持座
２２ａ  ねじ
２３  クランク材
２３ａ、２３ｂ  透孔
Ｓ    印鑑
Ｎ    釘等の固定要素
【図１】
0003229945.tif 000003
【図２】
0003229945.tif 000004
【図３】
0003229945.tif 000005
【図４】
0003229945.tif 000006
【図５】
0003229945.tif 000007
【図６】
0003229945.tif 000008